【事件の表示】
　特願２０１６−８１３０９号「遊技機」拒絶査定不服審判事件〔平成２９年１０月１９日出願公開、特開２０１７−１８９４５６号〕について、次のとおり審決する。
【結　論】
　本件審判の請求は、成り立たない。
【理　由】
第１　手続の経緯
　本願は、平成２８年４月１４日の出願であって、平成３０年３月２９日に手続補正書が提出され、同年１１月２９日付けで拒絶の理由が通知され、平成３１年１月１８日に意見書及び手続補正書が提出され、令和１年６月３日付けで拒絶の理由が通知され、同年８月５日に意見書及び手続補正書が提出され、令和２年１月１０日付けで最後の拒絶の理由が通知され、同年３月３日に意見書及び手続補正書が提出されたところ、同年５月１２日付け（送達日：同年同月２６日）で同年３月３日付け手続補正が却下されるとともに拒絶査定がなされ、それに対して、同年８月２５日に拒絶査定不服審判の請求がなされると同時に手続補正がなされたものである。
第２　補正の却下の決定
［補正の却下の決定の結論］
　令和２年８月２５日に提出された手続補正書による補正（以下、「本件補正」という。）を却下する。
［理由］
１　補正の内容
　本件補正は、本件補正前の特許請求の範囲、すなわち令和１年８月５日になされた手続補正により補正された特許請求の範囲の請求項１の記載を、以下のとおり、本件補正後の特許請求の範囲の請求項１のものに補正するものである（下線は補正箇所を示す。なお、本件補正後のＡないしＸの符号は合議体が付与したものである。）。
本件補正前
「【請求項１】
　遊技盤を設けてなる遊技機本体と、
　前記遊技盤の盤面に対向可能な透明板を有し、前記遊技機本体に対し前記遊技盤の盤面側にて開閉可能に支持される前扉と、
　前記遊技盤にその裏側から設けられる裏部品と、
　前記遊技盤の盤面にその前側から設けられる盤面部品と、
　磁気センサと、
　制御装置と、
　情報を出力可能な複数の端子を具備する外部端子盤と
を備える遊技機において、
　前記遊技機にその裏側から設けられる裏カバーと、
　前記遊技盤に形成してなる中央開口部に対向するように前記裏カバーに形成してなる組み付け穴部に前記中央開口部を通してその前方から視認可能なように組み付けられて演出表示を行う表示装置と、
　前記前扉に設けられる音演出装置と，
　操作に応じて操作信号を発生するクリアスイッチ手段とを具備してなり、
　前記遊技盤は、盤面部品取り付け用開孔部を形成してなり、
　前記盤面部品は、前記遊技盤の前記盤面部品取り付け用開孔部にその前側から対向するように前記遊技盤の盤面に設けられており、
　前記磁気センサは、前記遊技盤の前記盤面部品取り付け用開孔部に対向するように前記裏部品に支持されており、
　前記制御装置は、
　電源が遮断されても少なくとも所定の期間の間記憶内容を保持するメモリと、
　前記電源が投入された後、前記クリアスイッチ手段からの前記操作信号の発生に基づいて前記メモリの記憶内容をクリアしてメモリクリア信号を発生するメモリクリア手段と、1
　前記遊技盤の盤面に沿い転動する遊技球を前記盤面部品に誘導するように当該遊技球に対し前記前扉の前記透明板を介し磁石を対向させるに伴い、前記磁気センサが前記磁石の磁気を検出したとき、当該磁石の磁気の検出に基づいて磁気エラーが発生したか否かを判定するエラー判定手段と、
　当該エラー判定手段による前記磁気エラーの発生との判定に伴い磁気エラー出力信号を出力する出力手段とを備えており、
　前記外部端子盤は、前記メモリクリア手段が前記メモリクリア信号を発生したとき、当該メモリクリア信号を、前記複数の端子のうちの一端子を介しホールコンピュータに出力し、かつ、前記出力手段が前記磁気エラー出力信号を出力したとき、当該磁気エラー出力信号を、前記一端子を介し前記ホールコンピュータに出力するようになっており、
　前記表示装置は、その表示面の全面に亘り、所定のエラー画像を、前記演出表示中の表示内容を視認できないように、前記出力手段からの前記磁気エラー出力信号に基づき、表示するようになっており、
　前記音演出装置は、前記出力手段からの前記磁気エラー出力信号に基づき、最大音量にてエラー音を発生するようにした
ことを特徴とする遊技機。」
本件補正後
「【請求項１】
Ａ　遊技盤を設けてなる遊技機本体と、
Ｂ　前記遊技盤の盤面に対向可能な透明板を有し、前記遊技機本体に対し前記遊技盤の盤面側にて開閉可能に支持される前扉と、
Ｃ　前記遊技盤にその裏側から設けられる裏部品と
、
Ｄ　
盤
Ｅ　磁気センサと、
Ｆ　制御装置と、
Ｇ　情報を出力可能な複数の端子を具備する外部端子盤と
Ｈ　　を備える遊技機において、
Ｉ　前記遊技機にその裏側から設けられる裏カバーと、
Ｊ　前記遊技盤に形成してなる中央開口部に対向するように前記裏カバーに形成してなる組み付け穴部に前記中央開口部を通してその前方から視認可能なように組み付けられて演出表示を行う表示装置と、
Ｋ　前記前扉に設けられる音演出装置と，
Ｌ　操作に応じて操作信号を発生するクリアスイッチ手段とを具備してなり、
Ｍ　前記遊技盤は、盤面部品取り付け用開孔部を形成してなり、
Ｎ　前記盤面部品は、前記遊技盤の前記盤面部品取り付け用開孔部にその前側から
取り付けら
Ｏ　前記磁気センサは、前記遊技盤の前記盤面部品取り付け用開口部
に対しその後側から当該盤面部品取り付け用開孔部を通して投影されたとき当該投影の領域内に位置するように対向して、磁気の流れを妨げられることなく良好な磁気検出機能を発揮し得る
Ｐ　前記制御装置は、
Ｑ　電源が遮断されても少なくとも所定の期間の間記憶内容を保持するメモリと、
Ｒ　前記電源が投入された後、前記クリアスイッチ手段からの前記操作信号の発生に基づいて前記メモリの記憶内容をクリアしてメモリクリア信号を発生するメモリクリア手段と
、
Ｓ　前記遊技盤の盤面に沿い転動する遊技球を前記盤面部品に誘導するように当該遊技球に対し前記前扉の前記透明板を介し磁石を対向させるに伴い、前記磁気センサが前記磁石の磁気を検出したとき、当該磁石の磁気の検出に基づいて磁気エラーが発生したか否かを判定するエラー判定手段と、
Ｔ　当該エラー判定手段による前記磁気エラーの発生との判定に伴い磁気エラー出力信号を出力する出力手段とを備えており、
Ｕ　前記外部端子盤は、前記メモリクリア手段が前記メモリクリア信号を発生したとき、当該メモリクリア信号を、前記複数の端子のうちの一端子を介しホールコンピュータに出力し、かつ、前記出力手段が前記磁気エラー出力信号を出力したとき、当該磁気エラー出力信号を、前記一端子を介し前記ホールコンピュータに出力するようになっており、
Ｖ　前記表示装置は、その表示面の全面に亘り、所定のエラー画像を、前記演出表示中の表示内容を視認できないように、前記出力手段からの前記磁気エラー出力信号に基づき、表示するようになっており、
Ｗ　前記音演出装置は、前記出力手段からの前記磁気エラー出力信号に基づき、最大音量にてエラー音を発生するようにした
Ｘ　ことを特徴とする遊技機。」
（以下、本件補正後の請求項１に記載された事項によって特定される発明を、「本願補正発明」という。）
２　補正の適否について
（１）　補正事項
　本件補正は、以下の補正事項を含むものである。
ア　補正事項ア
　本件補正前の請求項１に係る発明を特定するために必要な事項である「盤面部品」に関して、「前記遊技盤の盤面にその前側から設けられる」の記載を削除する。
イ　補正事項イ
　本件補正前の請求項１に係る発明を特定するために必要な事項である「盤面部品」に関して、「前記盤面部品は、前記遊技盤の前記盤面部品取り付け用開孔部にその前側から対向するように前記遊技盤の盤面に設けられており、」の記載を削除し、代わりに、「前記盤面部品は、前記遊技盤の前記盤面部品取り付け用開孔部にその前側から取り付けられており、」との記載を追加する。
ウ　補正事項ウ
　本件補正前の請求項１に係る発明を特定するために必要な事項である「磁気センサ」に関して、「前記磁気センサは、前記遊技盤の前記盤面部品取り付け用開孔部に対向するように前記裏部品に支持されており、」の記載を削除し、代わりに、「前記磁気センサは、前記遊技盤の前記盤面部品取り付け用開口部に対しその後側から当該盤面部品取り付け用開孔部を通して投影されたとき当該投影の領域内に位置するように対向して、磁気の流れを妨げられることなく良好な磁気検出機能を発揮し得るように前記裏部品に支持されており、」との記載を追加する。
エ　補正事項エ
　本件補正前の請求項１の記載において、「前記電源が投入された後、前記クリアスイッチ手段からの前記操作信号の発生に基づいて前記メモリの記憶内容をクリアしてメモリクリア信号を発生するメモリクリア手段と、1」の記載を、「前記電源が投入された後、前記クリアスイッチ手段からの前記操作信号の発生に基づいて前記メモリの記憶内容をクリアしてメモリクリア信号を発生するメモリクリア手段と、」に補正する。
（２）　新規事項追加の有無について
　本件補正は、本願の願書に最初に添付した明細書、特許請求の範囲又は図面における【００１１】、【００１２】、【００１７】、【００１８】、【０１０７】、【０１７４】、図７、図８及び図１０等の記載に基づくものであり、新たな技術事項を導入するものではないから、特許法第１７条の２第３項に規定する要件を満たす。
（３）　本件補正の目的について
ア　補正事項ウは、特許法第１７条の２第５項第２号に掲げる特許請求の範囲の減縮を目的とするものである。
イ　補正事項エは、特許法第１７条の２第５項第３号に掲げる誤記の訂正を目的とするものである。
ウ　補正事項アは、発明を特定するために必要な事項である「盤面部品」に関して、「前記遊技盤の盤面にその前側から設けられる」の記載を削除し、また、補正事項イは、同「盤面部品」に関して、「前記盤面部品は、前記遊技盤の前記盤面部品取り付け用開孔部にその前側から対向するように前記遊技盤の盤面に設けられており、」の記載を削除し、代わりに、「前記盤面部品は、前記遊技盤の前記盤面部品取り付け用開孔部にその前側から取り付けられており、」との記載を追加するものである。
　これらの補正事項は、「盤面部品」と「盤面部品取り付け用開孔部」との関係が、本件補正前においては、「盤面部品は、」「盤面部品取り付け用開孔部にその前側から対向するように」「遊技盤の盤面に設けられて」いる点が特定されていたものが、本件補正後においては、「盤面部品は、」「盤面部品取り付け用開孔部にその前側から取り付けられて」いる点が特定されるように補正するものであるから、実質的に「前側から対向するように」「設けられ」ている点が、「前側から取り付けられて」いる点に補正されることになるが、本件補正後の「前側から取り付けられて」いることが、本件補正前の「前側から対向するように」「設けられ」ていることを限定するものとはいえず、特許法第１７条の２第５項第１号に掲げる特許請求の範囲の減縮を目的とするものとは認められない。
　また、補正事項ア及びイが、請求項の削除、及び、誤記の訂正を目的とするものでないことは明らかである。
　そして、明りょうでない記載の釈明を目的とする補正は、拒絶理由通知に係る拒絶の理由に示す事項についてするものに限られているところ、明りょうでない記載に関する拒絶の理由は通知されていない。
　したがって、本件補正は、特許法第１７条の２第５項各号に掲げるいずれの事項をも目的としない補正事項を含むものである。
　よって、本件補正は、特許法第１７条の２第５項の規定に違反しているものと認められるので、同法第１５９条第１項において読み替えて準用する同法第５３条第１項の規定により却下すべきものである。
３　独立特許要件について
　本件補正は、上記のとおり、特許法第１７条の２第５項の規定に違反しているものであるが、本願補正発明が、特許出願の際独立して特許を受けることができるものであるか（特許法第１７条の２第６項において準用する同法第１２６条第７項の規定に適合するか）について、以下、検討する。
（１）　本願補正発明
　本願補正発明は、上記１の「本件補正後」の【請求項１】に記載したとおりのものである。
（２）　引用文献
ア　引用文献１
（ア）　記載事項
　原査定の拒絶の理由において引用された、本願の出願前に公開された特開２０１３−１４６３９４号公報（以下、「引用文献１」という。）には、以下の事項が記載されている（下線は当審で付した。以下、同様。）。
引１−ア
「【００１３】
　以下、本発明の実施形態を図面に基づいて詳述する。図１〜図１２は本発明を
パチンコ機
遊技機本体１
ヒンジ３を介して縦軸心廻りに開閉及び着脱自在に枢着された内枠４
を備え
【００１４】
　
内枠４に
遊技盤５
が
配置され
その内枠４の前側に
遊技盤５の前側を覆
ガラス扉６
ヒンジ３と同じ側のヒンジ８により開閉及び着脱自在に枢着され
遊技盤５側の遊技領域５ａに対応するガラス窓９が設けられ
【００１５】
　
遊技盤５の前面側に
発射手段により発射された遊技球を案内するガイドレール１２
配置され
そのガイドレール１２内の遊技領域５ａに
普通入賞口ユニット１７
着脱自在に装着され
遊技盤５の裏側に
画像表示手段１８を保持する裏ケース１９、不正防止センサユニット２０
装着され
引１−イ
「【００１７】
　
中央表示ユニット１３は、遊技領域５ａの略中央に配置される画像表示手段１８の表示枠を構成するもので、遊技盤５に設けられた表示枠装着孔５ｂ（図４）に前側から着脱自在に装着され、ねじ止め等により遊技盤５に固定されており、その略中央の表示窓２２
が設けられている。
【００１８】
　また
裏ケース１９は、
その略中央に画像表示手段１８の表示画面１８ａに対応
矩形状の開口部２９
形成され
遊技盤５の裏側に装着され、
画像表示手段１８は、演出図柄表示手段３０等を構成するもので、その表示画面１８ａを開口部２９に一致させた状態で裏ケース１９の背面側に着脱自在に固定され
引１−ウ
「【００３６】
　
普通入賞口ユニット１７は、
３つの第１〜第３普通入賞手段６１ａ〜６１ｃが上部側から下部側にかけて一列状に配置され
遊技盤５に設けられた普通入賞口ユニット装着孔５ｅに対して前側から着脱自在に装着され、ねじ止め等により遊技盤５に固定され
【００３７】
　第１〜第３普通入賞手段６１ａ〜６１ｃは、図２，図３及び図６に示すように、遊技領域５ａ内で上向きに開口する第１〜第３普通入賞口６２ａ〜６２ｃと、第１〜第３普通入賞口６２ａ〜６２ｃに入賞した（所定部位を通過した）遊技球を検出する近接センサ６４ａ〜６４ｃとを備えている。近接センサ６４ａ〜６４ｃは、第１〜第３普通入賞口６２ａ〜６２ｃに入賞した遊技球を夫々遊技盤５の後側まで案内する後方案内通路６３の後端側に配置されており、第１〜第３普通入賞口６２ａ〜６２ｃに入賞した遊技球を遊技盤５の後側で検出するようになっている。
【００３８】
　近接センサ６４ａ〜６４ｃからの検出信号に基づいて遊技球が第１〜第３普通入賞口６２ａ〜６２ｃに入賞したものと判定された場合には、１個の入賞につき、第１〜第３普通入賞口６２ａ〜６２ｃ毎に設定された所定個数の賞球が払い出される。なお、第１〜第３普通入賞口６２ａ〜６２ｃのうちの２以上が同じ賞球払い出し個数に設定されている場合には、それらの入賞口に入賞した遊技球を共通の近接センサで検出するようにしてもよい。
【００３９】
　
不正防止センサユニット２０は、
磁気センサ７１と、
磁気センサ７１
を
遊技盤５の後側で保持するセンサホルダ７３
で構成され
【００４０】
　
磁気センサ７１は、ガラス窓９の前側に強力な磁石が押し当てられたような場合にその磁気を検知
主制御基板７５に磁気検知信号を出力するように構成されて
引１−エ
「【００４６】
　
センサホルダ７３は、
普通入賞口ユニット１７の後側に対応して裏ケース
１９の前側にねじ止め等により着脱自在に固定されるベース体８３と、このベース体８３に着脱自在に装着される保持体８４とで構成され
　・・・
【００４８】
　
磁気センサ保持部８１は、
保持体８４上に設けられ、前端部に磁気センサ７１の端面を露出させるための前開口部８１ａが
設けられた前後方向の角筒状に形成されており、磁気センサ７１を、
その先端面が遊技盤５の背面に当接又は近接する位置で保持するようになって
引１−オ
「【００５５】
　続いて、本パチンコ機の制御系のうち、大玉ゴト等による不正入賞を監視するための構成について説明する。本実施形態の
主制御基板７５には、
入賞処理手段９１
が設けられ
入賞処理手段９１には、磁気センサ７１
からの検知信号に基づいて不正行為の蓋然性の高い異常を監視する異常監視手段９４が設けられ
引１−カ
「【００５９】
　
異常監視手段９４は、磁気センサ７１から磁気検知信号を受けた場合、
所定のエラー処理
画像表示手段１８へのエラー表示
エラー警告音の出力
外部出力端子からのエラー信号出力
を実行するようになって
引１−キ
「【図１】
」
引１−ク
「【図２】
」
引１−ケ
「【図３】
」
引１−コ
「【図６】
」
引１−サ
「【図７】
」
引１−シ
「【図８】
」
引１−ス
「【図１２】
」
（イ）　認定事項
ａ　認定事項ア
　【００１５】における「ガイドレール１２内の遊技領域５ａには、中央表示ユニット１３」「が」「装着され」の記載、【００１７】における「中央表示ユニット１３は、遊技領域５ａの略中央に配置される画像表示手段１８の表示枠を構成するもので、遊技盤５に設けられた表示枠装着孔５ｂ（図４）に前側から着脱自在に装着され、ねじ止め等により遊技盤５に固定されており、その略中央の表示窓２２」「が設けられている。」の記載より、「
遊技盤５の遊技領域５ａには、画像表示手段１８の表示枠を構成する表示窓２２が設けられた中央表示ユニット１３が装着され
ｂ　認定事項イ
　「パチンコ機における遊技盤の正面図」が記載された図２を参照すると、
表示窓２２を通して、画像表示手段１８の表示画面１８ａを視認可能である
ｃ　認定事項ウ
　図１２には、「パチンコ機の制御系」の構成が図示されており、「パチンコ機」が、「
主制御基板７５
を有す
ｄ　認定事項エ
　【００５９】には、「異常監視手段９４は、磁気センサ７１から磁気検知信号を受けた場合」「に、所定のエラー処理、例えば、画像表示手段１８へのエラー表示、エラー警告音の出力、外部出力端子からのエラー信号出力」「を実行するようになっている。」との記載があることから、異常監視手段９４が実行する「
所定のエラー処理
には、
画像表示手段１８へのエラー表示、エラー警告音の出力、外部出力端子からのエラー信号出力
があり、
パチンコ機
は、
エラー警告音
出力手段、及び、
外部出力端子
を有し、
外部出力端子から
エラー信号
を
出力
　そして、
外部出力端子は、異常監視手段９４の所定のエラー処理によりエラー信号を出力し、画像表示手段１８は、異常監視手段９４の所定のエラー処理によりエラー表示を行い、エラー警告音出力手段は、異常監視手段９４の所定のエラー処理によりエラー警告音の出力を行う
（ウ）　引用発明
　上記（ア）における摘記事項、及び、（イ）おける認定事項を総合すると、引用文献１には以下の発明（以下、「引用発明」という。）が記載されていると認められる。ａないしｘの符号は、本願補正発明の構成ＡないしＸに対応させて合議体により付与したものである。
「ａ　ヒンジ３を介して縦軸心廻りに開閉及び着脱自在に枢着された内枠４を備え、内枠４に遊技盤５が配置された遊技機本体１と（【００１３】、【００１４】）、
ｂ　その内枠４の前側にヒンジ３と同じ側のヒンジ８により開閉及び着脱自在に枢着され、遊技盤５の前側を覆い、遊技盤５側の遊技領域５ａに対応するガラス窓９が設けられたガラス扉６と（【００１４】）、
ｄ　遊技盤５の前面側に配置された、発射手段により発射された遊技球を案内するガイドレール１２と（【００１５】）、そのガイドレール１２内の遊技領域５ａに着脱自在に装着された普通入賞口ユニット１７（【００１５】）であって、３つの第１〜第３普通入賞手段６１ａ〜６１ｃが上部側から下部側にかけて一列状に配置され、遊技盤５に設けられた普通入賞口ユニット装着孔５ｅに対して前側から着脱自在に装着され、ねじ止め等により遊技盤５に固定される普通入賞口ユニット１７と（【００３６】、図６）、
ｃ，ｅ　遊技盤５の裏側に装着された、画像表示手段１８を保持する裏ケース１９、及び、不正防止センサユニット２０と（【００１５】）を備え、
ｆ　主制御基板７５と（図１、認定事項ウ）、
ｇ　外部出力端子と（認定事項エ）
ｈ　を有するパチンコ機であり（【００１３】）、
ｉ　裏ケース１９は、遊技盤５の裏側に装着され（【００１８】）、
ｊ　画像表示手段１８は、演出図柄表示手段３０等を構成するもので、その表示画面１８ａを裏ケース１９の略中央に形成された矩形状の開口部２９に一致させた状態で裏ケース１９の背面側に着脱自在に固定され（【００１８】）、遊技盤５の遊技領域５ａには、画像表示手段１８の表示枠を構成する表示窓２２が設けられた中央表示ユニット１３が装着され（認定事項ア）、前記表示窓２２を通して、画像表示手段１８の表示画面１８ａを視認可能であるように構成され（認定事項イ）、
ｋ　パチンコ機はエラー警告音出力手段を有し（認定事項エ）、
ｏ　不正防止センサユニット２０は、磁気センサ７１と、磁気センサ７１を遊技盤５の後側で保持するセンサホルダ７３で構成され（【００３９】）、センサホルダ７３は、普通入賞口ユニット１７の後側に対応して裏ケース１９の前側にねじ止め等により着脱自在に固定されるベース体８３と、このベース体８３に着脱自在に装着される保持体８４とで構成され（【００４６】、図７）、磁気センサ保持部８１は、保持体８４上に設けられ、前端部に磁気センサ７１の端面を露出させるための前開口部８１ａが設けられた前後方向の角筒状に形成されており、磁気センサ７１を、その先端面が遊技盤５の背面に当接又は近接する位置で保持するようになっており（【００４８】、図８）、
ｓ　磁気センサ７１は、ガラス窓９の前側に強力な磁石が押し当てられたような場合にその磁気を検知し、主制御基板７５に磁気検知信号を出力するように構成されており（【００４０】）、
ｔ　主制御基板７５には、入賞処理手段９１が設けられ、入賞処理手段９１には、磁気センサ７１からの検知信号に基づいて不正行為の蓋然性の高い異常を監視する異常監視手段９４が設けられ（【００５５】）、異常監視手段９４は、磁気センサ７１から磁気検知信号を受けた場合、所定のエラー処理を実行するようになっており（【００５９】）、所定のエラー処理には、画像表示手段１８へのエラー表示、エラー警告音の出力、外部出力端子からのエラー信号出力があり（【００５９】）、
ｕ　外部出力端子は、異常監視手段９４の所定のエラー処理によりエラー信号を出力し（認定事項エ）、
ｖ　画像表示手段１８は、異常監視手段９４の所定のエラー処理によりエラー表示を行い（認定事項エ）、
ｗ　エラー警告音出力手段は、異常監視手段９４の所定のエラー処理によりエラー警告音の出力を行う（【００５９】、認定事項エ）
ｘ　パチンコ機（【００１３】）。」
イ　引用文献２
（ア）　記載事項
　原査定の拒絶の理由において引用された、本願の出願前に公開された特開２０１５−２９７３０号公報（以下、「引用文献２」という。）には、以下の事項が記載されている
引２−ア
「【００１６】
（パチンコ機の概略構成について）
　実施例に係る
パチンコ機１０
所要の遊技領域３４が画成された遊技盤３０
を備え
引２−イ
「【００２５】
（第１始動入賞部）
　第１始動入賞部４０は、図２、図３および図５に示すように、
遊技領域３４の第１遊技領域３４Ａに配設された第１入賞部材４１
を備え
第１入賞部材４１は、上方に開口した球入口および該球入口に連通して後方へ開口した球出口を備えた第１始動入賞口４３と、該第１始動入賞口４３に一体に形成された取付ベース部４４とを備え、遊技盤３０に前後に貫通するよう形成した第１貫通孔３７
に第１始動入賞口４３の球出口を整合させた状態で、取付ベース部４４を遊技盤３０にネジ止めして該遊技盤３０に取付けられ
引２−ウ
「【００４０】
（第１球排出ユニット）
　前記第１球排出ユニット１１０は、図４に示すように、遊技盤３０前面の第１遊技領域３４Ａに配設された第１始動入賞部４０に入ったパチンコ球、第１普通入賞口５８，５８に入ったパチンコ球、第１特別入賞部５０に入ったパチンコ球の夫々を、中枠１２の後面における遊技盤保持部２５の下方に配設された球処理部（図示せず）へ排出する複数の球排出路が形成されたユニット部材である。すなわち、第１球排出ユニット１１０は、第１始動入賞部４０から通出されたパチンコ球を球処理部へ排出する第１球排出路１１１と、各第１普通入賞口５８，５８から通出されたパチンコ球を球処理部へ排出する第２球排出路１１２と、第１特別入賞部５０から通出されたパチンコ球を球処理部へ排出する第３球排出路１１３とが設けられている。また、第１球排出ユニット１１０には、前記第１始動入賞球検知センサ４５を配設するための第１センサ取付部１４０および第２始動入賞球検知センサ４７を配設するための第２センサ取付部１４５が設けられると共に、第１普通入賞口５８に入賞したパチンコ球を検知する第１普通入賞球検知センサ５９を配設するための第４センサ取付部１６５が設けられている。更に、第１球排出ユニット１１０には、
遊技盤３０の前面おいて第１始動入賞部４０の近傍
で生じた磁気を検知可能な磁気検知センサ
１５５
引２ーエ
「【図５】
」
引２−オ
「【図７】
」
（イ）　認定事項
　上記図７には、磁気検知センサ１５５が、遊技盤３０に対して第１始動入賞部４０の後方に設けられた点が記載されており、上記図５に記載された磁気検知センサ１５５と第１貫通孔３７の位置関係を参酌すると、
第１貫通孔３７の開口の範囲内の後方に対向させて磁気検知センサ１５５が配設され
（ウ）　引用文献２記載事項
　上記（ア）における摘記事項、及び、（イ）における認定事項を総合すると、引用文献２には以下の事項（以下、「引用文献２記載事項」という。）が記載されていると認められる。
「所要の遊技領域３４が画成された遊技盤３０を備えたパチンコ機１０であって（【００１６】）、
　遊技領域３４の第１遊技領域３４Ａに配設された第１入賞部材４１を備え（【００２５】）、
　第１入賞部材４１は、上方に開口した球入口および該球入口に連通して後方へ開口した球出口を備えた第１始動入賞口４３と、該第１始動入賞口４３に一体に形成された取付ベース部４４とを備え、遊技盤３０に前後に貫通するよう形成した第１貫通孔３７に第１始動入賞口４３の球出口を整合させた状態で、取付ベース部４４を遊技盤３０にネジ止めして該遊技盤３０に取付けられ（【００２５】）、
　第１貫通孔３７の開口の範囲内の後方に対向させて、遊技盤３０の前面において第１始動入賞部４０の近傍で生じた磁気を検知可能な磁気検知センサ１５５が配設された（【００４０】、認定事項オ）、
　パチンコ機１０（【００１６】）。」
ウ　引用文献３
　原査定の拒絶の理由において引用された、本願の出願前に公開された特開２０１６−３００７５号公報（以下、「引用文献３」という。）には、以下の事項が記載されている。
引３−ア
「【０００１】
　本発明は、
弾球遊技機
引３−イ
「【０３７６】
　＜エラー報知の一例／磁気検知エラーのみを報知する場合＞
【０３７７】
　図３６は、図３３〜図３５に示す一遊技中に、磁気検知エラーのみが発生し装飾図柄表示装置２０８において磁気検知エラー報知を行う場合の表示例である。同図における「主：磁気検知ＯＦＦ」の記載は、広範囲磁気センサ７００から主制御部３００に入力される異常な磁気検出信号がない（主制御部３００で磁気検知されていない）ことを示し、「主：磁気検知ＯＮ」は異常な磁気検出信号がある（主制御部３００で磁気検知されている）ことを示す。
　・・・略・・・。
【０３８４】
　同図（ｄ）´のように、
磁気検知エラーが発生した場合は、装飾図柄表示装置２０８に表示されている演出表示
を消去し、
背景をブルースクリーンにし「磁石を検知しました」の文字表示を表示するなどの磁石検知エラー用の表示が表示される
引３−ウ
「【図３６】
」
　
　上記摘記事項より、引用文献３には、以下の事項（以下、「引用文献３記載事項」という。）が記載されていると認められる。
「磁気検知エラーが発生した場合は、装飾図柄表示装置２０８に表示されている演出表示を消去し、背景をブルースクリーンにし「磁石を検知しました」の文字表示を表示するなどの磁石検知エラー用の表示が表示される（【０３８４】）弾球遊技機（【０００１】）。」
エ　引用文献４
（ア）　記載事項
　原査定の拒絶の理由において引用された、本願の出願前に公開された特開２０１６−４７３１５号公報（以下、「引用文献４」という。）には、以下の事項が記載されている。
引４−ア
「【００１０】
  そこで、本発明は、遊技機への電源投入時に行われる不正行為を防止しつつ、
外部出力用の信号線の無駄を低減する
引４−イ
「【００５５】
　次に、パチンコ遊技機１の裏面の構造について図２を参照して説明する。図２は、遊技機を裏面から見た背面図である。図２に示すように、
パチンコ遊技機１
遊技制御用マイクロコンピュータ等が搭載された遊技制御基板（主基板）３１
【００５６】
　さらに、
パチンコ遊技機１
各種電源電圧を作成する電源回路が搭載された電源基板９１０
が設けられ
電源基板９１０には、
遊技制御基板３１の遊技制御用マイクロコンピュータ５６０のＲＡＭ５５をクリアするためのクリアスイッチが設けられ
引４−ウ
「【００５９】
　
パチンコ遊技機１
各種情報をパチンコ遊技機１の外部に出力するための各端子を備えたターミナル基板１６０が設置され
引４−エ
「【００６２】
　図３は、
主基板（遊技制御基板）３１
主基板３１には、プログラムに従ってパチンコ遊技機１を制御する遊技制御用マイクロコンピュータ
５６０が搭載され
遊技制御用マイクロコンピュータ５６０は、
ワークメモリとして使用される記憶手段としてのＲＡＭ５５
を含
引４−オ
「【００６９】
　また、ＲＡＭ５５は、その一部または全部が電源基板において作成されるバックアップ電源によってバックアップされている不揮発性記憶手段としてのバックアップＲＡＭである。すなわち、遊技機に対する
電力供給が停止しても、所定期間
は、ＲＡＭ５５の一部または全部の内容
保存される
引４−カ
「【０１０１】
　図８は、
ターミナル基板１６０
右側のコネクタＣＮ１〜ＣＮ１０は、ホールコンピュータなど外部装置に対して信号を伝達するケーブルを接続するためのコネクタである。
引４−キ
「【０１０６】
　以上のような半導体リレーＰＣ１〜ＰＣ１０の動作により、入力側のコネクタＣＮ−１、コネクタＣＮ−２およびコネクタＣＮ−３から入力された信号が出力側のコネクタＣＮ１〜ＣＮ１０に伝達され、ホールコンピュータなど外部装置に対して出力される。具体的には、コネクタＣＮ１から図柄確定回数１信号が出力され、コネクタＣＮ２から始動口信号が出力され、コネクタＣＮ３から大当り１信号が出力され、コネクタＣＮ４から大当り２信号が出力され、コネクタＣＮ５から大当り３信号が出力され、コネクタＣＮ６から時短信号が出力され、コネクタＣＮ７から入賞信号が出力され、
コネクタＣＮ８からセキュリティ信号が出力され、
引４−ク
「【０１０９】
　また、
コネクタＣＮ８から出力されるセキュリティ信号は、遊技機のセキュリティ状態を示す信号である
【０１１０】
　また、この実施の形態では、遊技機への電源投入が行われて初期化処理が実行された場合にも、セキュリティ信号が所定期間（例えば、３０秒間）ホールコンピュータなどの外部装置に出力される。そのように構成することによって、不自然なタイミングで（例えば、遊技店の開店時に全ての遊技機の電源リセット作業を終えた後であるにもかかわらず）初期化処理が実行されたことを認識可能とすることによって、不正に遊技機を電源リセットさせて電源リセットのタイミングで大当りを狙うような不正行為が行われた可能性を、ホールコンピュータなどの外部装置側で認識できるようにすることができる。
【０１１１】
　なお、この実施の形態では、上記のように、
異常入賞が検出された場合と、初期化処理（例えば、遊技機への電源投入時に、クリアスイッチによる操作が行われたことにもとづいてＲＡＭ５５の記憶内容をクリアするなどの処理）が実行された場合とで、共通のセキュリティ信号をターミナル基板１６０の共通のコネクタＣＮ８から外部出力している。
【０１１２】
　なお、セキュリティ信号として共通のコネクタから外部出力される信号は、この実施の形態で示したものにかぎられない。例えば、第２始動入賞口１４への異常入賞にかぎらず、第１始動入賞口１３や、大入賞口、普通入賞口２９，３０への異常入賞を検出して、ターミナル基板１６０の共通のコネクタＣＮ８からセキュリティ信号として外部出力可能なように構成してもよい。この場合、例えば、第１始動入賞口１３や、大入賞口、普通入賞口２９，３０についても、第２始動入賞口１４と同様に、遊技球の入賞を検出するためのスイッチとして検出方式の異なる２種類のスイッチ（近接スイッチとフォトセンサ）を設けるようにし、第２始動入賞口１４と同様の判定方法に従って、異常入賞の有無を判定するようにすればよい。
【０１１３】
　また、
例えば、遊技機に設けられた磁石センサで異常磁気を検出した場合
に、ターミナル基板１６０の共通のコネクタＣＮ８からセキュリティ信号として外部出力可能なように構成してもよい。
【０１１４】
　上記のように、大入賞口への異常入賞や異常磁気エラー、異常電波エラーについてもターミナル基板１６０の共通のコネクタＣＮ８からセキュリティ信号として外部出力可能なように構成すれば、１本の信号線さえ接続すればホールコンピュータなど外部装置でエラー検出を行えるようにすることができ、エラー検出に関する作業負担を軽減することができる。」
引４−ケ
「【図８】
」
（イ）　認定事項
ａ　認定事項カ
　図８を参照すると、ターミナル基板１６０の右側には、ＣＮ１からＣＮ１０が設けられていることが見て取れ、【０１０１】には、「右側のコネクタＣＮ１〜ＣＮ１０は、ホールコンピュータなど外部装置に対して信号を伝達するケーブルを接続するためのコネクタである。」と記載されていることから、引用文献４には、
ターミナル基板１６０には、ホールコンピュータなど外部装置に対して信号を伝達するケーブルを接続するためのコネクタとして、ＣＮ１からＣＮ１０の１０個のコネクタが設けられ
ｂ　認定事項キ
　【０１１１】には、「異常入賞が検出された場合と、初期化処理（例えば、遊技機への電源投入時に、クリアスイッチによる操作が行われたことにもとづいてＲＡＭ５５の記憶内容をクリアするなどの処理）が実行された場合とで、共通のセキュリティ信号をターミナル基板１６０の共通のコネクタＣＮ８から外部出力している。」と記載され、【０１１２】には、「セキュリティ信号として共通のコネクタから外部出力される信号は、この実施の形態で示したものにかぎられない。」と記載され、【０１１３】には、「例えば、遊技機に設けられた磁石センサで異常磁気を検出した場合」「に、ターミナル基板１６０の共通のコネクタＣＮ８からセキュリティ信号として外部出力可能なように構成してもよい。」と記載されていることを考え合わせると、引用文献４には、
クリアスイッチによる操作が行われたことにもとづいてＲＡＭ５５の記憶内容をクリアするなどの処理が実行された場合と、遊技機に設けられた磁石センサで異常磁気を検出した場合とで、ターミナル基板１６０の共通のコネクタＣＮ８からセキュリティ信号として外部出力可能なように構成
（ウ）　引用文献４記載事項
　上記（ア）における摘記事項、及び、上記（イ）における認定事項を総合すると、引用文献４には、以下の事項（以下、「引用文献４記載事項」という。）が記載されていると認められる。
「遊技制御用マイクロコンピュータ５６０が搭載された遊技制御基板（主基板）３１と、各種電源電圧を作成する電源回路が搭載された電源基板９１０が設けられ、各種情報をパチンコ遊技機１の外部に出力するための各端子を備えたターミナル基板１６０が設置されたパチンコ遊技機１であって（【００５５】、【００５６】、【００５９】、【００６２】）、
　遊技制御基板３１には、プログラムに従ってパチンコ遊技機１を制御する遊技制御用マイクロコンピュータ５６０が搭載され、遊技制御用マイクロコンピュータ５６０は、ワークメモリとして使用される記憶手段としてのＲＡＭ５５を含み（【００６２】）、
　ＲＡＭ５５は、電力供給が停止しても、所定期間は、一部または全部の内容が保存されるものであり（【００６９】）、
　電源基板９１０には、遊技制御基板３１の遊技制御用マイクロコンピュータ５６０のＲＡＭ５５をクリアするためのクリアスイッチが設けられ（【００５６】）、
　ターミナル基板１６０には、ホールコンピュータなど外部装置に対して信号を伝達するケーブルを接続するためのコネクタとして、ＣＮ１からＣＮ１０の１０個のコネクタが設けられ（認定事項カ）、遊技機のセキュリティ状態を示す信号であるセキュリティ信号は、コネクタＣＮ８から出力され（【０１０６】、【０１０９】）、
　クリアスイッチによる操作が行われたことにもとづいてＲＡＭ５５の記憶内容をクリアするなどの処理が実行された場合と、遊技機に設けられた磁石センサで異常磁気を検出した場合とで、ターミナル基板１６０の共通のコネクタＣＮ８からセキュリティ信号として外部出力可能なように構成された（認定事項キ）、
　パチンコ遊技機１（【００５５】）。」
（３）　対比
　本願補正発明と引用発明とを対比する。
ア　本願補正発明の構成Ａに関して
　引用発明の構成ａにおける「遊技機本体１」は、「ヒンジ３を介して縦軸心廻りに開閉及び着脱自在に枢着された内枠４を備え、内枠４に遊技盤５が配置され」たものであるから、「遊技機本体１」は「遊技盤５」を備えているといえる。
　してみると、引用発明の構成ａにおける「遊技機本体１」は、本願補正発明の構成Ａにおける「遊技盤を設けてなる遊技機本体」に相当する。
　よって、引用発明は、本願補正発明の構成Ａに相当する構成を有する。
イ　本願補正発明の構成Ｂに関して
　引用発明の構成ｂにおける「遊技盤５の前側を覆い、遊技盤５側の遊技領域５ａに対応するガラス窓９が設けられ」ることは、「ガラス窓９」に透明なガラスが設けられることは当業者の技術常識であるから、本願補正発明の構成Ｂにおける「遊技盤の盤面に対向可能な透明板を有」することに相当する。
　また、引用発明の構成ｂにおける「内枠４の前側に」「開閉及び着脱自在に枢着され」ることは、本願補正発明の構成Ｂにおける「前記遊技機本体に対し前記遊技盤の盤面側にて開閉可能に支持される」ことに相当する。
　したがって、引用発明の構成ｂにおける「遊技盤５の前側を覆い、遊技盤５側の遊技領域５ａに対応するガラス窓９が設けられ」、「内枠４の前側に」「開閉及び着脱自在に枢着され」た「ガラス扉６」は、本願補正発明の構成Ｂにおける「前記遊技盤の盤面に対向可能な透明板を有して、前記遊技機本体に対し前記遊技盤の盤面側にて開閉可能に支持される前扉」に相当する。
　よって、引用発明は、本願補正発明の構成Ｂに相当する構成を有する。
ウ　本願補正発明の構成Ｃに関して
　引用発明の構成ｃ，ｅにおける「画像表示手段１８を保持する裏ケース１９」と「不正防止センサユニット２０」は、いずれも、「遊技盤５の裏側に装着され」るものであるから、それらは、本願補正発明の構成Ｃにおける「前記遊技盤にその裏側から設けられる裏部品」に相当する。
　よって、引用発明は、本願補正発明の構成Ｃに相当する構成を有する。
エ　本願補正発明の構成Ｄに関して
　引用発明の構成ｄにおける「普通入賞口ユニット１７」は、本願補正発明の構成Ｄにおける「盤面部品」に相当する。
　よって、引用発明は、本願補正発明の構成Ｄに相当する構成を有する。
オ　本願補正発明の構成Ｅに関して
　引用発明の構成ｃ，ｅにおける「不正防止センサユニット２０」を「構成」する構成ｏにおける「磁気センサ７１」は、本願補正発明の構成Ｅにおける「磁気センサ」に相当する。
　よって、引用発明は、本願補正発明の構成Ｅに相当する構成を有する。
カ　本願補正発明の構成Ｆに関して
　引用発明の構成ｆにおける「主制御基板７５」は、本願補正発明の構成Ｆにおける「制御装置」に相当する。
　よって、引用発明は、本願補正発明の構成Ｆに相当する構成を有する。
キ　本願補正発明の構成Ｇに関して
　引用発明の構成ｇ及び構成ｕにおける「外部出力端子」と、本願補正発明の構成Ｇにおける「情報を出力可能な複数の端子を具備する外部端子盤」とを対比すると、両者は、「情報を出力可能な」「外部端子盤」である点で一致する。
ク　本願補正発明の構成Ｈに関して
　引用発明の構成ｈにおける「パチンコ機」は、本願補正発明の構成Ｈにおける「遊技機」に相当する。
　よって、引用発明は、本願補正発明の構成Ｈに相当する構成を有する。
ケ　本願補正発明の構成Ｉに関して
　引用発明の構成ｉにおける「遊技盤５の裏側に装着され」る「裏ケース１９」は、本願補正発明の構成Ｉにおける「前記遊技盤にその裏側から設けられる裏カバー」に相当する。
　よって、引用発明は、本願補正発明の構成Ｉに相当する構成を有する。
コ　本願補正発明の構成Ｊに関して
　引用発明の構成ｊにおける「演出図柄表示手段３０等を構成する」「画像表示手段１８」は、本願補正発明の構成Ｊにおける「演出表示を行う表示装置」に相当する。
　また、引用発明の構成ｊにおける「表示窓２２」は、「遊技盤５の遊技領域５ａ」に「装着され」た「中央表示ユニット１３」に設けられたもので「画像表示手段１８の表示画面１８ａを視認可能」とするものであるから、本願補正発明の構成Ｊにおける「前記遊技盤に形成してな」り、それ「を通してその前方から視認可能なように」「演出表示を行う表示装置」が「組み付けられ」る「中央開口部」に相当する。
　そして、引用発明の構成ｊにおける「裏ケース１９の略中央に形成された矩形状の開口部２９」は、本願補正発明の構成Ｊにおける「前記裏カバーに形成してなる組み付け穴部」に相当する。
　したがって、引用発明の構成ｊにおける「裏ケース１９の略中央に形成された矩形状の開口部２９に」「表示画面１８ａを一致させた状態で」「裏面ケース１９に」「固定され」、「遊技盤５の遊技領域５ａ」に「装着され」た「中央表示ユニット１３」に設けられた「表示窓２２を通して、」「表示画面１８ａを視認可能であるように構成され」た「画像表示手段１８」は、本願補正発明の構成Ｊにおける「前記遊技盤に形成してなる中央開口部に対向するように前記裏カバーに形成してなる組み付け穴部に前記中央開口部を通してその前方から視認可能なように組み付けられて演出表示を行う表示装置」に相当する。
　よって、引用発明は、本願補正発明の構成Ｊに相当する構成を有する。
サ　本願補正発明の構成Ｋに関して
　引用発明の構成ｋにおける「エラー警告音出力手段」と本願補正発明の構成Ｋにおける「前扉に設けられる音演出装置」とは、音出力手段である点で共通する。
シ　本願補正発明の構成Ｌに関して
　引用発明は、本願補正発明の構成Ｌに相当する構成を有さない。
ス　本願補正発明の構成Ｍに関して
　引用発明の構成ｄにおける「遊技盤５に」「普通入賞口ユニット装着孔５ｅ」が「設けられた」ことは、本願補正発明の構成Ｍにおける「前記遊技盤は、盤面部品取り付け用開孔部を形成してな」ることに相当する。
　よって、引用発明は、本願補正発明の構成Ｍに相当する構成を有する。
セ　本願補正発明の構成Ｎに関して
　引用発明の構成ｄにおける「遊技盤５に設けられた普通入賞口ユニット装着孔５ｅ」は、本願補正発明の構成Ｎにおける「前記遊技盤の前記盤面部品取り付け用開孔部」に相当し、引用発明の構成ｄにおける「普通入賞口ユニット１７」は、本願補正発明の構成Ｎにおける「盤面部品」に相当し、引用発明の構成ｄにおける「前側から」「装着され」ることは、本願補正発明の構成Ｎにおける「前側から取り付けられて」いることに相当する。
　よって、引用発明は、本願補正発明の構成Ｎに相当する構成を有する。
ソ　本願補正発明の構成Ｏに関して
（ア）　引用発明の構成ｏにおける「磁気センサ７１を」「保持する」「センサホルダ７３」の「ベース体８３」が「裏ケース１９の前側にねじ止め等により着脱自在に固定される」ことは、「センサホルダ７３」の「ベース体８３」を介して「磁気センサ７１」が「裏ケース１９」に「保持」されることになるから、本願補正発明の構成Ｏにおける「前記磁気センサ」が「前記裏部品に支持され」ることに相当する。
（イ）　引用発明の構成ｏにおける「磁気センサ７１を」「保持する」「センサホルダ７３」の「ベース体８３」が「普通入賞口ユニット１７の後側に対応して」「固定される」ことと、本願補正発明の構成Ｏにおける「磁気センサ」が「前記盤面部品取り付け用開口部に対しその後側から当該盤面部品取り付け用開孔部を通して投影されたとき当該投影の領域内に位置するように対向して、」「支持され」ることとを対比すると、引用発明は、構成ｄにおいて「普通入賞口ユニット１７」が「遊技盤５に設けられた普通入賞口ユニット装着孔５ｅに対して前側から着脱自在に装着され」るものである点が特定されていることから、引用発明の構成ｏにおける「普通入賞口ユニット１７の後側に対応して」「保持」されることは、「普通入賞口ユニット装着孔５ｅ」「の後側に対応して」「保持」されることであり、両者は、「磁気センサ」が「前記遊技盤の盤面部品取り付け用開口部に対しその後ろ側から」対応して「支持され」る点で一致する。
（ウ）　上記（ア）及び（イ）より、引用発明の構成ｏにおける「磁気センサ７１を」「保持する」「センサホルダ７３」の「ベース体８３」が「普通入賞口ユニット１７の後側に対応して裏ケース１９の前側にねじ止め等により着脱自在に固定され」ることと、本願補正発明の構成Ｏにおける「前記磁気センサは、前記遊技盤の前記盤面部品取り付け用開口部に対しその後側から当該盤面部品取り付け用開孔部を通して投影されたとき当該投影の領域内に位置するように対向して、磁気の流れを妨げられることなく良好な磁気検出機能を発揮し得るように前記裏部品に支持されて」いることとを対比すると、両者は、「前記磁気センサは、前記遊技盤の前記盤面部品取り付け用開口部に対しその後側から」「前記裏部材に支持されて」いる点で一致する。
タ　本願補正発明の構成ＰないしＴに関して
（ア）　引用発明の構成ｓにおける「ガラス窓９の前側に強力な磁石が押し当てられたような場合」に「磁気センサ７１」が「その磁気を検知」することは、「ガラス窓９の前側に強力な磁石が押し当て」る行為が、遊技球を不正に誘導するためのものであることは当業者の技術常識であるから、本願補正発明の構成Ｓにおける「前記遊技盤の盤面に沿い転動する遊技球を前記盤面部品に誘導するように当該遊技球に対し前記前扉の前記透明板を介し磁石を対向させるに伴い、前記磁気センサが前記磁石の磁気を検出」することに相当する。
　また、引用発明の構成ｓ及び構成ｔにおける「磁気センサ７１」から「磁気検知信号を出力」させ、「磁気センサ７１からの検知信号に基づいて不正行為の蓋然性の高い異常を監視する異常監視手段９４」は、本願補正発明の構成Ｓにおける「磁気の検出に基づいて磁気エラーが発生したか否かを判定するエラー判定手段」としての機能を有するものである。
　よって、引用発明は、本願補正発明の構成Ｓに相当する構成を有する。
（イ）　引用発明の構成ｔにおける「磁気センサ７１から磁気検知信号を受けた場合、所定のエラー処理を実行する」「異常監視手段９４」は、「所定のエラー処理」として、「画像表示手段１８へのエラー表示」、「エラー警告音出力手段」の「エラー警告音の出力」、「外部出力端子からのエラー信号出力」を「実行する」ものであり、「画像表示手段１８」、「エラー警告音出力手段」及び「外部出力端子」に「所定のエラー処理」を実行するためには、磁気検知信号に基づく信号が送られることは明らかであるから、本願補正発明の構成Ｔにおける「当該エラー判定手段による前記磁気エラーの発生との判定に伴い磁気エラー出力信号を出力する出力手段」としての機能を有するものである。
　よって、引用発明は、本願補正発明の構成Ｔに相当する構成を有する。
（ウ）　引用発明の構成ｔにおいて、「主制御基板７５には、入賞処理手段９１が設けられ、入賞処理手段９１には、」「異常監視手段９４が設けられ」ていることから、「異常監視手段９４」は「主制御基板７５」に設けられており、そのことは、本願補正発明の構成Ｐ、Ｓ及びＴにおける「前記制御装置は、」「エラー判定手段」を「備えて」いることに相当する。
（エ）　引用発明は、本願補正発明の構成Ｑ及びＲに相当する構成を有さない。
（オ）　以上のことから、引用発明は、本願補正発明の構成ＰないしＴのうち、構成Ｐ、Ｓ及びＴに相当する構成を有する。
チ　本願補正発明の構成Ｕに関して
　引用発明の構成ｕにおける「外部出力端子は、異常監視手段９４の所定のエラー処理によりエラー信号を出力」することと、本願補正発明の構成Ｕにおける「前記外部端子盤は、前記メモリクリア手段が前記メモリクリア信号を発生したとき、当該メモリクリア信号を、前記複数の端子のうちの一端子を介しホールコンピュータに出力し、かつ、前記出力手段が前記磁気エラー出力信号を出力したとき、当該磁気エラー出力信号を、前記一端子を介し前記ホールコンピュータに出力する」こととを対比すると、両者は、「前記外部端子盤は、」「前記出力手段が前記磁気エラー出力信号を出力したとき、当該磁気エラー出力信号を」「出力する」点で一致する。
ツ　本願補正発明の構成Ｖに関して
　引用発明の構成ｖにおける「画像表示手段１８は、異常監視手段９４の所定のエラー処理によりエラー表示を行」うことと、本件補正発明の構成Ｖにおける「前記表示装置は、その表示面の全面に亘り、所定のエラー画像を、前記演出表示中の表示内容を視認できないように、前記出力手段からの前記磁気エラー出力信号に基づき、表示するようになって」いることとを対比すると、両者は、「前記表示手段は」、「所定のエラー画像を」「前記出力手段からの前記磁気エラー出力信号に基づき、表示する」点で一致する。
テ　本願補正発明の構成Ｗに関して
　引用発明の構成ｗにおける「エラー警告音出力手段は、異常監視手段９４の所定のエラー処理によりエラー警告音の出力を行う」ことと、本願補正発明の構成Ｗにおける「前記音演出装置は、前記出力手段からの前記磁気エラー出力信号に基づき、最大音量にてエラー音を発生するようにした」こととを対比すると、両者は、「前記音演出装置は、前記出力手段からの前記磁気エラー出力信号に基づき、」「エラー音を発生するようにした」点で一致する。
ト　本願補正発明の構成Ｘに関して
　引用発明の構成ｘにおける「パチンコ機」は、本願補正発明の構成Ｘにおける「遊技機」に相当する。
　よって、引用発明は、本願補正発明の構成Ｘに相当する構成を有する。
　以上のことから、本願補正発明と引用発明は、以下の点で一致する。
＜一致点＞
「Ａ　遊技盤を設けてなる遊技機本体と、
Ｂ　前記遊技盤の盤面に対向可能な透明板を有し、前記遊技機本体に対し前記遊技盤の盤面側にて開閉可能に支持される前扉と、
Ｃ　前記遊技盤にその裏側から設けられる裏部品と、
Ｄ　盤面部品と、
Ｅ　磁気センサと、
Ｆ　制御装置と、
Ｇ’情報を出力可能な外部端子盤と
Ｈ　　を備える遊技機において、
Ｉ　前記遊技機にその裏側から設けられる裏カバーと、
Ｊ　前記遊技盤に形成してなる中央開口部に対向するように前記裏カバーに形成してなる組み付け穴部に前記中央開口部を通してその前方から視認可能なように組み付けられて演出表示を行う表示装置と、
Ｋ’音出力手段と
　を具備してなり、
Ｍ　前記遊技盤は、盤面部品取り付け用開孔部を形成してなり、
Ｎ　前記盤面部品は、前記遊技盤の前記盤面部品取り付け用開孔部にその前側から取り付けられており、
Ｏ’前記磁気センサは、前記遊技盤の前記盤面部品取り付け用開口部に対しその後側から前記裏部材に支持されており、
Ｐ　前記制御装置は、
Ｓ　前記遊技盤の盤面に沿い転動する遊技球を前記盤面部品に誘導するように当該遊技球に対し前記前扉の前記透明板を介し磁石を対向させるに伴い、前記磁気センサが前記磁石の磁気を検出したとき、当該磁石の磁気の検出に基づいて磁気エラーが発生したか否かを判定するエラー判定手段と、
Ｔ　当該エラー判定手段による前記磁気エラーの発生との判定に伴い磁気エラー出力信号を出力する出力手段とを備えており、
Ｕ’前記外部端子盤は、前記出力手段が前記磁気エラー出力信号を出力したとき、当該磁気エラー出力信号を出力するようになっており、
Ｖ’前記表示装置は、所定のエラー画像を、前記出力手段からの前記磁気エラー出力信号に基づき、表示するようになっており、
Ｗ’前記音演出装置は、前記出力手段からの前記磁気エラー出力信号に基づき、エラー音を発生するようにした
Ｘ　遊技機。」
　そして、両者は、以下の点で相違する。 
 
＜相違点１＞（構成Ｏに関して）
　磁気センサに関して、本願補正発明では、磁気センサが、遊技盤の盤面部品取り付け用開口部に対しその後側から当該盤面部品取り付け用開孔部を通して投影されたとき当該投影の領域内に位置するように対向して、磁気の流れを妨げられることなく良好な磁気検出機能を発揮し得るように前記裏部品に支持されているのに対して、引用発明では、磁気センサ７１が普通入賞口ユニット装着孔５ｅの後側に保持されていると認められるが、前記磁気センサ７１が、普通入賞口ユニット装着孔５ｅを通して投影されたとき当該投影の領域内に位置するように対向し、磁気の流れを妨げられることなく良好な磁気検出機能を発揮し得るように裏ケースに支持されているか否かは不明である点。
＜相違点２＞（構成Ｖに関して）
　エラー画像の表示に関して、本願補正発明では、表示装置の表示面の全面に亘り、所定のエラー画像を、演出表示中の表示内容を視認できないように、表示するのに対して、引用発明ではエラー表示の詳細が不明である点。
＜相違点３＞（構成Ｋ及び構成Ｗに関して）
　音出力手段に関して、本願補正発明は、音出力手段が前扉に設けられる音演出装置であり、前記音演出装置は、最大音量にてエラー音を発生するようにされているのに対して、引用発明は、エラー警告音出力手段が音演出装置であるか否かは不明であり、また、ガラス扉６に設けられたか否かも不明であり、さらに、最大音量にてエラー音を発生するようにされたか否かも不明である点。
＜相違点４＞（構成Ｇ、Ｌ、Ｑ、Ｒ及びＵに関して）
　本願補正発明は、遊技機が、操作に応じて操作信号を発生するクリアスイッチ手段を具備し、外部端子盤が複数の端子を具備し、制御装置が、電源が遮断されても少なくとも所定の期間の間記憶内容を保持するメモリと、前記電源が投入された後、前記クリアスイッチ手段からの前記操作信号の発生に基づいて前記メモリの記憶内容をクリアしてメモリクリア信号を発生するメモリクリア手段とを有し、前記外部端子盤は、前記メモリクリア手段が前記メモリクリア信号を発生したとき、当該メモリクリア信号を、前記複数の端子のうちの一端子を介しホールコンピュータに出力し、かつ、前記出力手段が前記磁気エラー出力信号を出力したとき、当該磁気エラー出力信号を、前記一端子を介し前記ホールコンピュータに出力するようになっているのに対して、引用発明は、クリアスイッチ手段を具備するものであるかどうか不明であり、外部出力端子が複数の端子を具備するものであるかどうか不明であり、また、主制御基板７５が電源が遮断されても少なくとも所定の期間の間記憶内容を保持するメモリ、及び、クリアスイッチ手段からの操作信号の発生に基づいて前記メモリの記憶内容をクリアしてメモリクリア信号を発生するメモリクリア手段を有するものであるかどうか不明であり、さらに、外部出力端子が、メモリクリア手段がメモリクリア信号を発生したときの当該メモリクリア信号と、異常監視手段９４の所定のエラー処理による磁気エラー出力信号の出力とを、外部出力端子の複数の端子のうちの一端子を介しホールコンピュータに出力するものであるかどうか不明である点。
（４）　検討
ア　相違点１について
　上記引用文献２記載事項における「磁気検知センサ１５５」及び「第１貫通孔３７」は、それぞれ、本願補正発明の上記相違点１に係る構成における「磁気センサ」及び「盤面部品取り付け用開口部（又は開孔部）」に相当し、引用文献２記載事項における「磁気検知センサ１５５が」「第１貫通孔３７の開口の範囲内の後方に対向させて」「配設された」構成は、本願補正発明の上記相違点１に係る構成における「前記磁気センサ」が、「前記遊技盤の前記盤面部品取り付け用開口部に対しその後側から当該盤面部品取り付け用開孔部を通して投影されたとき当該投影の領域内に位置するように対向して」「支持され」た構成に相当する。
　また、上記引用文献２記載事項には、本願補正発明の上記相違点１に係る構成のうち、「磁気センサ」が「磁気の流れを妨げられることなく良好な磁気検出機能を発揮し得るように」「支持され」た点についての特定はされていないが、本願の明細書の【００１１】、【００１２】等の記載を参照すると、「磁気の流れを妨げられることなく良好な磁気検出機能を発揮し得るように」「裏部品に支持される」構成は、「磁気センサを、」「遊技盤の前記盤面部品取り付け用開口部に対しその後側から当該盤面部品取り付け用開孔部を通して投影されたとき当該投影の領域内に位置するように対向」させるだけで実現可能であると認められ、上記引用文献２記載事項も、「磁気検知センサ１５５が」「第１貫通孔３７の開口の範囲内の後方に対向させて」「配設され」ることに「磁気の流れを妨げられることなく良好な磁気検出機能を発揮し得るように」構成されていると認められる。
　そして、引用発明と引用文献２記載事項は、いずれも、磁気センサを用いて不正検出を行う遊技機という共通の技術分野に属するものであり、ともに、不正行為を的確に検出するという自明な共通の課題を有するものであるから、引用発明において、磁気センサが対向する部位を設定するにあたって、引用文献２記載事項に記載された技術を適用して、磁気センサを、普通入賞口ユニット装着孔５ｅの開口の範囲内の後方に対向させるように構成し、本願補正発明の上記相違点１に係る構成とすることは、当業者が容易に想到し得ることである。
イ　相違点２について
　上記引用文献３記載事項における「装飾図柄表示装置２０８に表示されている演出表示を消去し、背景をブルースクリーンにし「磁石を検知しました」の文字表示を表示する」ことは、本願補正発明の上記相違点２に係る構成における「表示装置の表示面の全面に亘り、所定のエラー画像を、演出表示中の表示内容を視認できないように、表示する」ことに相当する。
　ここにおいて、引用発明と引用文献３記載事項は、いずれも、磁気センサを用いて不正検出を行い、不正を検出した場合にエラー画像を表示する遊技機という共通の技術分野に属するものであり、ともに、不正行為を的確に報知するという自明な共通の課題を有するものであるから、引用発明において、磁気センサ７１からの検知信号に基づいてエラー表示を実行するにあたって、引用文献３記載事項に記載された技術を適用し、画像表示手段に表示されている演出表示を消去し、磁石検知エラー用の表示が表示されるように構成して、本願補正発明の上記相違点２に係る構成とすることは、当業者が容易に想到し得ることである。
ウ　相違点３について
　本願出願前に公開された特開２０１５−２０２２４２号公報の【００３５】には、「
スピーカ２４は、
楽曲や音声、効果音等を出力して音によって演出を行う。
所定のエラー報知音とを最大音量でスピーカ２４から出力する。
　同特開２０１２−１２０７２７号公報の【００２１】には、「また、
ガラス枠１５の左右には
音響（例えば、効果音）を発するスピーカ（上スピーカ）１９ａが設けられている。
スピーカの音量がボリュームＳＷによって最大レベルよりも低いレベルに設定されていたとしても、最大音量によるエラー報知音が出力される。
　してみると、そして、遊技機の技術分野において、エラー音の出力に用いる音出力手段として、前扉に設けられる音演出装置を採用し、最大音量でエラー音を発生するように構成することは、本願出願前周知の事項である。
　ここにおいて、引用発明と上記した本願出願前周知の事項は、いずれも、エラー音を用いたエラーの報知を行う遊技機という共通の技術分野に属するものであるから、引用発明において、エラー音を用いてエラーの報知を行うにあたって、本願出願前周知の事項を適用し、前扉に設けられる音演出装置を用いて最大音量にてエラー音を発生するように構成して、本願補正発明の上記相違点３に係る構成とすることは、当業者が容易に想到し得ることである。
エ　相違点４について
　上記引用文献４記載事項における「電力供給が停止しても、所定期間は、一部または全部の内容が保存される」「ＲＡＭ５５」、「ＲＡＭ５５をクリアするためのクリアスイッチ」は、それぞれ、本願補正発明の上記相違点４に係る構成の「電源が遮断されても少なくとも所定の期間の間記憶内容を保持するメモリ」、「操作に応じて操作信号を発生するクリアスイッチ手段」に相当する。
　また、上記引用文献４記載事項における「クリアスイッチによる操作が行われたことにもとづいてＲＡＭ５５の記憶内容をクリアするなどの処理」を「実行」することは、本願補正発明の上記相違点４に係る構成の「前記電源が投入された後、前記クリアスイッチ手段からの前記操作信号の発生に基づいて前記メモリの記憶内容をクリア」することに相当し、上記引用文献４記載事項における「ＲＡＭ５５の記憶内容をクリアするなどの処理が実行された場合」に「外部出力」される「セキュリティ信号」は、本願補正発明の上記相違点４に係る構成の「前記クリアスイッチ手段からの前記操作信号の発生に基づいて」「発生」する「メモリクリア信号」に相当し、上記引用文献４記載事項における「ＲＡＭ５５の記憶内容をクリアするなどの処理」を「実行」し、「セキュリティ信号」を「外部出力」する手段は、本願補正発明の上記相違点４に係る構成の「前記電源が投入された後、前記クリアスイッチ手段からの前記操作信号の発生に基づいて前記メモリの記憶内容をクリアしてメモリクリア信号を発生するメモリクリア手段」に相当する。
　そして、上記引用文献４記載事項における「ＣＮ１からＣＮ１０の１０個のコネクタが設けられ」た「ターミナル基板１６０」、「クリアスイッチによる操作が行われたことにもとづいてＲＡＭ５５の記憶内容をクリアするなどの処理が実行された場合と、遊技機に設けられた磁石センサで異常磁気を検出した場合とで、ターミナル基板１６０の共通のコネクタＣＮ８からセキュリティ信号として」「ホールコンピュータなど外部装置に対して」「外部出力可能なように構成され」ることは、それぞれ、本願補正発明の上記相違点４に係る構成の「複数の端子を具備」する「外部端子盤」、「外部端子盤は、前記メモリクリア手段が前記メモリクリア信号を発生したとき、当該メモリクリア信号を、前記複数の端子のうちの一端子を介しホールコンピュータに出力し、かつ、前記出力手段が前記磁気エラー出力信号を出力したとき、当該磁気エラー出力信号を、前記一端子を介し前記ホールコンピュータに出力する」ことに相当する。
　してみると、上記引用文献４記載事項は、本願補正発明の上記相違点４に係る構成のうち、「操作に応じて操作信号を発生するクリアスイッチ手段を具備」する構成、「外部端子盤が複数の端子を具備」する構成、「電源が遮断されても少なくとも所定の期間の間記憶内容を保持するメモリと、前記電源が投入された後、前記クリアスイッチ手段からの前記操作信号の発生に基づいて前記メモリの記憶内容をクリアしてメモリクリア信号を発生するメモリクリア手段とを有」する構成、「前記外部端子盤は、前記メモリクリア手段が前記メモリクリア信号を発生したとき、当該メモリクリア信号を、前記複数の端子のうちの一端子を介しホールコンピュータに出力し、かつ、前記出力手段が前記磁気エラー出力信号を出力したとき、当該磁気エラー出力信号を、前記一端子を介し前記ホールコンピュータに出力する」構成を有しており、本願補正発明の上記相違点４に係る構成をすべて有するものと認められる。
　ここにおいて、引用発明と引用文献４記載事項は、いずれも、磁気エラーを検出し、エラー信号の出力を行う遊技機という共通の技術分野に属するものであり、引用発明において、引４−アに示した、外部に出力する信号線の無駄を低減することを動機付けとして引用文献４記載事項を適用し、メモリクリア信号と、磁気エラー出力信号の出力とを、共通の端子から出力するように構成し、本願補正発明の上記相違点４に係る構成とすることは、当業者が容易に想到し得ることである。
オ　本願補正発明の作用効果について
　本願補正発明の作用効果は、引用発明、引用文献２記載事項、引用文献３記載事項、引用文献４記載事項、及び、本願出願前周知の事項に基づいて当業者が予測できる範囲のものであり、格別なものではない。
（５）　請求人の主張への反論
　請求人は、審判請求書において、
「（１−２）当該本願発明の構成によれば、次のような本願発明に特有の作用効果が達成され得る。
・本願発明の構成によれば、磁気センサは、遊技盤の盤面部品取り付け用開口部に対しその後側から当該盤面部品取り付け用開孔部を通して投影されたとき当該投影の領域内に位置するように対向して、磁気の流れを妨げられることなく良好な磁気検出機能を発揮し得るように裏部品に支持されている。
・また、盤面部品取り付け用開孔部の周囲には表示装置や音演出装置が存在するものの、当該盤面部品取り付け用開孔部にはその前側から盤面部品が取り付けられているのみである。これに伴い、当該盤面部品取り付け用開孔部の前後両側近傍領域においては、盤面部品や磁気センサを除き、他の構成部品やベニヤ板の積層体等の密集した構成等の余分な構成部品が存在することはなく、簡単な構成となっている。
・従って、磁気センサを、上述のごとく、遊技盤の盤面部品取り付け用開口部に対しその後側から当該盤面部品取り付け用開孔部を通して投影されたとき当該投影の領域内に位置するように対向して、磁気の流れを妨げられることなく良好な磁気検出機能を発揮し得るように裏部品に支持する構成とすることで、当該磁気センサは、その磁気の流れを妨げられたり磁気を減少させられたりすることなく、良好な磁気検出機能を発揮し得る。」
と主張している。
　そこで、本願補正発明における「磁気センサ」が「磁気の流れを妨げられることなく良好な磁気検出機能を発揮し得るように前記裏部品に支持され」る構成について、どのような構成とされているのかについて検討すると、本願の明細書において、「磁気の流れを妨げられることなく良好な磁気検出機能を発揮し得るように裏部品に支持する構成」を実現するために、磁気センサをどのように配置すべきかに関しては、特に検討がなされておらず、同明細書の【００１１】、【００１２】等の記載を参照すると、「磁気の流れを妨げられることなく良好な磁気検出機能を発揮し得るように裏部品に支持する構成」は、「磁気センサを、」「遊技盤の上記盤面部品取り付け用開口部に対しその後側から当該盤面部品取り付け用開孔部を通して投影されたとき当該投影の領域内に位置するように対向」させるだけで実現可能であると認められる。
　してみると、引用文献２記載事項も、同様に、「磁気の流れを妨げられることなく良好な磁気検出機能を発揮し得る」ものということになり、請求人が主張する上記の作用効果は、引用発明、及び、引用文献２記載事項により奏し得たものであると認められ、請求人の上記の主張は採用できない。
（６）　小括
　よって、本願補正発明は、引用発明、引用文献２記載事項、引用文献３記載事項、引用文献４記載事項、及び、本願出願前周知の事項に基づいて当業者が容易に発明をすることができたものであるから、特許法第２９条第２項の規定により特許出願の際独立して特許を受けることができないものである。
４　むすび
　以上のことから、本件補正は、上記２（３）ウにおいて既に検討したように、特許法第１７条の２第５項各号に掲げるいずれの事項をも目的としない補正事項を含むものである。
　また、本願補正発明は、引用発明、引用文献２記載事項、引用文献３記載事項、引用文献４記載事項、及び、本願出願前周知の事項に基づいて当業者が容易に発明をすることができたものであるから、本件補正は、同法第１７条の２第６項で準用する同法第１２６条第７項の規定に違反するものである。
　よって、本件補正は、特許法第１５９条第１項において読み替えて準用する同法第５３条第１項の規定により却下されるべきものである。
第３　本願発明について
１　本願発明
　令和２年８月２５日付けの手続補正は、上記のとおり却下されたので、本願の請求項１に係る発明は、令和１年８月５日になされた手続補正により補正された特許請求の範囲の請求項１に記載されたとおりのもの（上記第２［理由］１の「本件補正前」の記載を参照）（以下「本願発明」という。）であり、分説してＡ１ないしＸ１の符号を付与すると、以下のとおりである。ただし、構成Ｒ１において、末尾に「1」と記載されており、当該記載は誤記であることが明らかであるから、本願発明の対比、判断等の検討においては、「1」の記載は存在しないものとして、検討を行う。
「【請求項１】
Ａ１　遊技盤を設けてなる遊技機本体と、
Ｂ１　前記遊技盤の盤面に対向可能な透明板を有し、前記遊技機本体に対し前記遊技盤の盤面側にて開閉可能に支持される前扉と、
Ｃ１　前記遊技盤にその裏側から設けられる裏部品と、
Ｄ１　前記遊技盤の盤面にその前側から設けられる盤面部品と、
Ｅ１　磁気センサと、
Ｆ１　制御装置と、
Ｇ１　情報を出力可能な複数の端子を具備する外部端子盤と
Ｈ１　　を備える遊技機において、
Ｉ１　前記遊技機にその裏側から設けられる裏カバーと、
Ｊ１　前記遊技盤に形成してなる中央開口部に対向するように前記裏カバーに形成してなる組み付け穴部に前記中央開口部を通してその前方から視認可能なように組み付けられて演出表示を行う表示装置と、
Ｋ１　前記前扉に設けられる音演出装置と，
Ｌ１　操作に応じて操作信号を発生するクリアスイッチ手段とを具備してなり、
Ｍ１　前記遊技盤は、盤面部品取り付け用開孔部を形成してなり、
Ｎ１　前記盤面部品は、前記遊技盤の前記盤面部品取り付け用開孔部にその前側から対向するように前記遊技盤の盤面に設けられており、
Ｏ１　前記磁気センサは、前記遊技盤の前記盤面部品取り付け用開孔部に対向するように前記裏部品に支持されており、
Ｐ１　前記制御装置は、
Ｑ１　電源が遮断されても少なくとも所定の期間の間記憶内容を保持するメモリと、
Ｒ１　前記電源が投入された後、前記クリアスイッチ手段からの前記操作信号の発生に基づいて前記メモリの記憶内容をクリアしてメモリクリア信号を発生するメモリクリア手段と、1
Ｓ１　前記遊技盤の盤面に沿い転動する遊技球を前記盤面部品に誘導するように当該遊技球に対し前記前扉の前記透明板を介し磁石を対向させるに伴い、前記磁気センサが前記磁石の磁気を検出したとき、当該磁石の磁気の検出に基づいて磁気エラーが発生したか否かを判定するエラー判定手段と、
Ｔ１　当該エラー判定手段による前記磁気エラーの発生との判定に伴い磁気エラー出力信号を出力する出力手段とを備えており、
Ｕ１　前記外部端子盤は、前記メモリクリア手段が前記メモリクリア信号を発生したとき、当該メモリクリア信号を、前記複数の端子のうちの一端子を介しホールコンピュータに出力し、かつ、前記出力手段が前記磁気エラー出力信号を出力したとき、当該磁気エラー出力信号を、前記一端子を介し前記ホールコンピュータに出力するようになっており、
Ｖ１　前記表示装置は、その表示面の全面に亘り、所定のエラー画像を、前記演出表示中の表示内容を視認できないように、前記出力手段からの前記磁気エラー出力信号に基づき、表示するようになっており、
Ｗ１　前記音演出装置は、前記出力手段からの前記磁気エラー出力信号に基づき、最大音量にてエラー音を発生するようにした
Ｘ１　ことを特徴とする遊技機。」
２　原査定の拒絶の理由
　原査定の拒絶の理由は、本願発明に対する拒絶の理由を含むものであり、その概要は以下のとおりである。
　本願発明は、本願の出願前に日本国内又は外国において頒布された又は電気通信回線を通じて公衆に利用可能となった下記の引用文献１、引用文献２、引用文献３、及び、引用文献４に記載された事項に基づいて、本願の出願前にその発明の属する技術の分野における通常の知識を有する者が容易に発明をすることができたものであるから、特許法第２９条第２項の規定により特許を受けることができない。
引用文献１：特開２０１３−１４６３９４号公報
引用文献２：特開２０１５−２９７３０号公報
引用文献３：特開２０１６−３００７５号公報
引用文献４：特開２０１６−４７３１５号公報
３　引用文献とそれに記載された事項
　原査定の拒絶の理由で引用された引用文献１、引用文献２、引用文献３及び、引用文献４は、それぞれ、上記第２における引用文献１、引用文献２、引用文献３、及び、引用文献４に対応し、それらの記載事項は、それぞれ、上記第２［理由］３（２）アないしエに記載したとおりである。
４　対比・判断
（１）　対比
　本願発明と引用発明とを対比する。
ア　本願発明の構成Ａ１、Ｂ１、Ｃ１、Ｅ１、Ｆ１、Ｈ１、Ｉ１、Ｊ１、Ｍ１及びＸ１に関して
　本願発明の構成Ａ１、Ｂ１、Ｃ１、Ｅ１、Ｆ１、Ｈ１、Ｉ１、Ｊ１、Ｍ１及びＸ１は、それぞれ、本願補正発明の構成Ａ、Ｂ、Ｃ、Ｅ、Ｆ、Ｈ、Ｉ、Ｊ、Ｍ及びＸに相当する。
　よって、前記第２の３（３）ア、イ、ウ、オ、カ、ク、ケ、コ、ス及びトにおいて検討したように、引用発明は、本願発明の構成Ａ１、Ｂ１、Ｃ１、Ｅ１、Ｆ１、Ｈ１、Ｉ１、Ｊ１、Ｍ１及びＸ１に相当する構成を有する。
イ　本願発明の構成Ｄ１に関して
　引用発明の構成ｄにおける「普通入賞口ユニット１７」は、本願発明の構成Ｄ１における「盤面部品」に相当し、引用発明の構成ｄにおける「前側から」「遊技盤５に」「装着され」ることは、本願発明の構成Ｄ１における「前記遊技盤の盤面にその前側から設けられる」ことに相当する。
　したがって、引用発明の構成ｄにおける「遊技盤５に」「前側から」「装着され」る「普通入賞口ユニット１７」は、本願発明の構成Ｄ１における「前記遊技盤の盤面にその前側から設けられる盤面部品」に相当する。
　よって、引用発明は、本願発明の構成Ｄ１に相当する構成を有する。
ウ　本願発明の構成Ｇ１に関して
　引用発明の構成ｇにおける「外部出力端子」と、本願発明の構成Ｇ１における「情報を出力可能な複数の端子を具備する外部端子盤」とを対比すると、両者は、「情報を出力可能な」「外部端子盤」である点で一致する。
エ　本願発明の構成Ｋ１に関して
　引用発明の構成ｋにおける「エラー警告音出力手段」と本願発明の構成Ｋ１における「音演出装置」とは、音出力手段である点で共通する。
オ　本願発明の構成Ｌ１に関して
　引用発明は、本願発明の構成Ｌ１に相当する構成を有さない。
カ　本願発明の構成Ｎ１に関して
　引用発明の構成ｄにおける「遊技盤５に設けられた普通入賞口ユニット装着孔５ｅ」は、本願発明の構成Ｎ１における「前記遊技盤の前記盤面部品取り付け用開孔部」に相当し、引用発明の構成ｄにおける「普通入賞口ユニット１７」は、本願発明の構成Ｎ１における「盤面部品」に相当する。
　そして、引用発明の構成ｄにおける「前側から」「装着され」ることと、本願発明の構成Ｎ１における「前側から対向するように取り付けられて」いることを対比すると、両者は、「前側から」「取り付けられて」いる点で一致する。
　よって、引用発明の構成ｄと、本願発明の構成Ｎ１とは、「盤面部品は、前記遊技盤の前記盤面部品取り付け用開孔部にその前側から」「取り付けられて」いる点で一致する。
キ　本願発明の構成Ｏ１に関して
（ア）　引用発明の構成ｏにおける「磁気センサ７１を」「保持する」「センサホルダ７３」の「ベース体８３」が「裏ケース１９の前側にねじ止め等により着脱自在に固定される」ことは、「センサホルダ７３」の「ベース体８３」を介して「磁気センサ７１」が「裏ケース１９」に「保持」されることになるから、本願発明の構成Ｏ１における「前記磁気センサ」が「前記裏部品に支持されて」いることに相当する。
（イ）　引用発明は、構成ｄにおいて「普通入賞口ユニット１７」は「遊技盤５に設けられた普通入賞口ユニット装着孔５ｅに」「着脱自在に装着され」るものである点が特定されていることから、引用発明の構成ｏにおける「普通入賞口ユニット１７」「に対応して」「保持」されることは、「普通入賞口ユニット装着孔５ｅ」「に対応して」「保持」されることであると認められる。そして、その構成と、本願発明の構成Ｏ１における「前記盤面部品取り付け用開孔部に対向するように」「支持されて」いることとを対比すると、両者は、「前記盤面部品取り付け用開孔部に」対応させて「前記裏部品に支持されて」いる点で一致する。
（ウ）　よって、両者は、「前記磁気センサは、前記遊技盤の前記盤面部品取り付け用開孔部に」対応させて「前記裏部品に支持されて」いる点で一致する。
ク　本願発明の構成Ｐ１ないしＴ１に関して
（ア）　引用発明の構成ｓにおける「ガラス窓９の前側に強力な磁石が押し当てられたような場合」に「磁気センサ７１」が「その磁気を検知」することは、「ガラス窓９の前側に強力な磁石が押し当て」る行為が、遊技球を不正に誘導するためのものであることは当業者の技術常識であるから、本願発明の構成Ｓ１における「前記遊技盤の盤面に沿い転動する遊技球を前記盤面部品に誘導するように当該遊技球に対し前記前扉の前記透明板を介し磁石を対向させるに伴い、前記磁気センサが前記磁石の磁気を検出」することに相当する。
　また、引用発明の構成ｓ及び構成ｔにおける「磁気センサ７１」から「磁気検知信号を出力」され、「磁気センサ７１からの検知信号に基づいて不正行為の蓋然性の高い異常を監視する異常監視手段９４」は、本願発明の構成Ｓ１における「磁気の検出に基づいて磁気エラーが発生したか否かを判定するエラー判定手段」としての機能を有するものである。
　よって、引用発明は、本願発明の構成Ｓ１に相当する構成を有する。
（イ）　引用発明の構成ｔにおける「磁気センサ７１から磁気検知信号を受けた場合、所定のエラー処理を実行する」「異常監視手段９４」は、「所定のエラー処理」として、「画像表示手段１８へのエラー表示」、「エラー警告音出力手段」の「エラー警告音の出力」、「外部出力端子からのエラー信号出力」を「実行する」ものであり、「画像表示手段１８」、「エラー警告音出力手段」及び「外部出力端子」に「所定のエラー処理」を実行するためには、磁気検知信号に基づく信号が送られることは明らかであるから、本願発明の構成Ｔ１における「当該エラー判定手段による前記磁気エラーの発生との判定に伴い磁気エラー出力信号を出力する出力手段」としての機能を有するものである。
　よって、引用発明は、本願発明の構成Ｔ１に相当する構成を有する。
（ウ）　引用発明の構成ｔにおいて、「主制御基板７５には、入賞処理手段９１が設けられ、入賞処理手段９１には、」「異常監視手段９４が設けられ」ることから、「異常監視手段９４」は「主制御基板７５」に設けられている点が認定でき、そのことは、本願発明の構成Ｐ１、Ｓ１及びＴ１における「前記制御装置は、」「エラー判定手段」を「備えて」いることに相当する。
（エ）　引用発明は、本願発明の構成Ｑ１及びＲ１に相当する構成を有さない。
（オ）　以上のことから、引用発明は、本願発明の構成Ｐ１ないしＴ１のうち、構成Ｐ１、Ｓ１及びＴ１に相当する構成を有する。
ケ　本願発明の構成Ｕ１に関して
　引用発明の構成ｕにおける「外部出力端子は、異常監視手段９４の所定のエラー処理によりエラー信号を出力」することと、本願発明の構成Ｕ１における「前記外部端子盤は、前記メモリクリア手段が前記メモリクリア信号を発生したとき、当該メモリクリア信号を、前記複数の端子のうちの一端子を介しホールコンピュータに出力し、かつ、前記出力手段が前記磁気エラー出力信号を出力したとき、当該磁気エラー出力信号を、前記一端子を介し前記ホールコンピュータに出力する」こととを対比すると、両者は、「前記外部端子盤は、」「前記出力手段が前記磁気エラー出力信号を出力したとき、当該磁気エラー出力信号を」「出力する」点で一致する。
コ　本願発明の構成Ｖ１に関して
　引用発明の構成ｖにおける「画像表示手段１８は、異常監視手段９４の所定のエラー処理によりエラー表示を行」うことと、本願発明の構成Ｖ１における「前記表示装置は、その表示面の全面に亘り、所定のエラー画像を、前記演出表示中の表示内容を視認できないように、前記出力手段からの前記磁気エラー出力信号に基づき、表示するようになって」いることとを対比すると、両者は、「前記表示手段は」、「所定のエラー画像を」「前記出力手段からの前記磁気エラー出力信号に基づき、表示する」点で一致する。
サ　本願発明の構成Ｗ１に関して
　引用発明の構成ｗにおける「エラー警告音出力手段は、異常監視手段９４の所定のエラー処理によりエラー警告音の出力を行う」ことと、本願発明の構成Ｗ１における「前記音演出装置は、前記出力手段からの前記磁気エラー出力信号に基づき、最大音量にてエラー音を発生するようにした」こととを対比すると、両者は、「前記音演出装置は、前記出力手段からの前記磁気エラー出力信号に基づき、」「エラー音を発生するようにした」点で一致する。
　以上のことから、本願発明と引用発明は、以下の点で一致する。
＜一致点＞
「Ａ１　遊技盤を設けてなる遊技機本体と、
Ｂ１　前記遊技盤の盤面に対向可能な透明板を有し、前記遊技機本体に対し前記遊技盤の盤面側にて開閉可能に支持される前扉と、
Ｃ１　前記遊技盤にその裏側から設けられる裏部品と、
Ｄ１　前記遊技盤の盤面にその前側から設けられる盤面部品と、
Ｅ１　磁気センサと、
Ｆ１　制御装置と、
Ｇ１’情報を出力可能な外部端子盤と
Ｈ１　　を備える遊技機において、
Ｉ１　前記遊技機にその裏側から設けられる裏カバーと、
Ｊ１　前記遊技盤に形成してなる中央開口部に対向するように前記裏カバーに形成してなる組み付け穴部に前記中央開口部を通してその前方から視認可能なように組み付けられて演出表示を行う表示装置と、
Ｋ１’音出力手段と
　を具備してなり、
Ｍ１　前記遊技盤は、盤面部品取り付け用開孔部を形成してなり、
Ｎ１’前記盤面部品は、前記遊技盤の前記盤面部品取り付け用開孔部にその前側から取り付けられており、
Ｏ１’前記磁気センサは、前記遊技盤の前記盤面部品取り付け用開孔部に対応させて前記裏部材に支持されており、
Ｐ１　前記制御装置は、
Ｓ１　前記遊技盤の盤面に沿い転動する遊技球を前記盤面部品に誘導するように当該遊技球に対し前記前扉の前記透明板を介し磁石を対向させるに伴い、前記磁気センサが前記磁石の磁気を検出したとき、当該磁石の磁気の検出に基づいて磁気エラーが発生したか否かを判定するエラー判定手段と、
Ｔ１　当該エラー判定手段による前記磁気エラーの発生との判定に伴い磁気エラー出力信号を出力する出力手段とを備えており、
Ｕ１’前記外部端子盤は、前記出力手段が前記磁気エラー出力信号を出力したとき、当該磁気エラー出力信号を出力し、
Ｖ１’前記表示装置は、所定のエラー画像を、前記出力手段からの前記磁気エラー出力信号に基づき、表示するようになっており、
Ｗ１’前記音演出装置は、前記出力手段からの前記磁気エラー出力信号に基づき、エラー音を発生するようにした
Ｘ１　遊技機。」
　そして、両者は、以下の点で相違する。
＜相違点Ａ＞（構成Ｎ１に関して）
　盤面部品の遊技盤の盤面部品取り付け用開口部への取り付けに関して、本願発明は、盤面部品は、盤面部品取り付け用開口部にその前側から対向するように取り付けられているのに対して、引用発明は、普通入賞口ユニット１７が普通入賞口ユニット装着孔５ｅに前側から装着されてはいるものの、前側から対向するように取り付けられているか否かが不明である点。
＜相違点Ｂ＞（構成Ｏ１に関して）
　磁気センサの支持に関して、本願発明は、磁気センサが盤面部品取り付け用開孔部に対向するように裏部品に支持されているのに対して、引用発明は、磁気センサ７１が普通入賞口ユニット装着孔５ｅに対向して保持されているか否かが不明である点。
＜相違点Ｃ＞（構成Ｖ１に関して）
　エラー画像の表示に関して、本願発明では、表示装置の表示面の全面に亘り、所定のエラー画像を、演出表示中の表示内容を視認できないように、表示するのに対して、引用発明ではエラー表示の詳細が不明である点。
＜相違点Ｄ＞（構成Ｋ１及び構成Ｗ１に関して）
　音出力手段に関して、本願発明は、音出力手段が前扉に設けられる音演出装置であり、前記音演出装置は、最大音量にてエラー音を発生するようにされているのに対して、引用発明は、エラー警告音出力手段が音演出装置であるか否かは不明であり、また、ガラス扉６に設けられたか否かも不明であり、さらに、最大音量にてエラー音を発生するようにされたか否かも不明である点。
＜相違点Ｅ＞（構成Ｇ１、Ｌ１、Ｑ１、Ｒ１及びＵ１に関して）
　本願発明は、遊技機が、操作に応じて操作信号を発生するクリアスイッチ手段を具備し、外部端子盤が複数の端子を具備し、制御装置が、電源が遮断されても少なくとも所定の期間の間記憶内容を保持するメモリと、前記電源が投入された後、前記クリアスイッチ手段からの前記操作信号の発生に基づいて前記メモリの記憶内容をクリアしてメモリクリア信号を発生するメモリクリア手段とを有し、前記外部端子盤は、前記メモリクリア手段が前記メモリクリア信号を発生したとき、当該メモリクリア信号を、前記複数の端子のうちの一端子を介しホールコンピュータに出力し、かつ、前記出力手段が前記磁気エラー出力信号を出力したとき、当該磁気エラー出力信号を、前記一端子を介し前記ホールコンピュータに出力するようになっているのに対して、引用発明は、クリアスイッチ手段を具備するものであるかどうか不明であり、外部出力端子が複数の端子を具備するものであるかどうか不明であり、また、主制御基板７５が電源が遮断されても少なくとも所定の期間の間記憶内容を保持するメモリ、及び、クリアスイッチ手段からの操作信号の発生に基づいて前記メモリの記憶内容をクリアしてメモリクリア信号を発生するメモリクリア手段を有するものであるかどうか不明であり、さらに、外部出力端子が、メモリクリア手段がメモリクリア信号を発生したときの当該メモリクリア信号と、異常監視手段９４の所定のエラー処理による磁気エラー出力信号の出力とを、外部出力端子の複数の端子のうちの一端子を介しホールコンピュータに出力するものであるかどうか不明である点。
（２）　検討
　上記の各相違点について検討する。
ア　相違点Ａについて
　本願発明の構成Ｎ１の「その前側から対向するように取り付けられており、」の記載によって特定される構成がどのようなものであるのかについて検討するにあたって、本願の明細書の発明の詳細な説明及び図面の記載を参照すると、【００３２】に「普通入賞口ユニット６０は、・・・取り付け板６０ａ及び３つの普通入賞口装置６０ｂ〜６０ｄでもって構成されている。」と記載され、【００３３】に「取り付け板６０ａは、図１或いは図６から分かるように、遊技盤１０に形成してなる盤面部品取り付け用開孔部１２にその前側から装着されている。」と記載されており、図６には、以下に示す態様が示されている。
「【図６】
」
　上記の摘記事項を合わせて上記の図６を参照すると、図６には、普通入賞口ユニット６０が、遊技盤１０に形成してなる盤面部品取り付け用開孔部１２にその前側から装着されている態様が示されていると認められ、この態様は、本願発明の構成Ｎ１の「前記盤面部品は、前記遊技盤の前記盤面部品取り付け用開孔部にその前側から対向するように取り付けられており、」の記載によって特定される構成に対応するものと認められる。
　そして、上記の摘記事項及び図６の図示内容を参照する限り、本願発明の構成Ｎ１における「対向するように」の記載によって、本願発明において特徴的な構成が特定されるものではない。
　してみると、「対向するように」の記載の有無は実質的な相違点とはならず、本願発明の相違点Ａに係る構成は、実質的な相違点とは認められない。
イ　相違点Ｂについて
　上記引用文献２記載事項における「磁気検知センサ１５５」及び「第１貫通孔３７」は、それぞれ、本願発明の上記相違点Ｂに係る構成における「磁気センサ」及び「盤面部品取り付け用開孔部」に相当し、引用文献２記載事項における「磁気検知センサ１５５が」「第１貫通孔３７」「に対向させて」「配設された」構成は、本願発明の上記相違点Ｂに係る構成における「前記磁気センサ」が、「前記盤面部品取り付け用開孔部に対向するように」「支持され」た構成に相当する。
　そして、引用発明と引用文献２記載事項は、いずれも、磁気センサを用いて不正検出を行う遊技機という共通の技術分野に属するものであり、ともに、不正行為を的確に検出するという自明な共通の課題を有するものであるから、引用発明において、磁気センサを支持するにあたって、引用文献２記載事項に記載された技術を適用して、磁気センサを、普通入賞口ユニット装着孔５ｅに対向させるように保持し、本願発明の上記相違点Ｂに係る構成とすることは、当業者が容易に想到し得ることである。
ウ　相違点Ｃ、相違点Ｄ及び相違点Ｅについて
　相違点Ｃ、相違点Ｄ及び相違点Ｅは、実質的に上記第２の３（３）において検討した本願補正発明と引用発明との対比における相違点２、相違点３及び相違点４と同じものであり、それらの相違点については、上記第２の３（４）において検討したとおりである。
　したがって、本願発明は、引用発明、引用文献２記載事項、引用文献３記載事項、引用文献４記載事項、及び、本願出願前周知の事項に基づいて当業者が容易に発明をすることができたものである
第４　むすび
　以上のとおりであるから、本願発明は、特許法第２９条第２項の規定により特許を受けることができないから、本願は拒絶されるべきものである。
　よって、結論のとおり審決する。